(57)【要約】【課題】同一セル内のセクタで負荷に偏りがある場合、セル全体としてのスループットが低下する可能性がある。各セクタのセクタ角を調整することによりセクタの負荷の偏りを緩和し、セルスループットの向上を図る。【解決手段】無線基地局は、各セクタの使用量と接続ユーザ数を取得し、接続している無線端末の位置情報および使用量を取得し、セクタ間で使用量および接続ユーザ数に一定以上の偏りが発生した場合、セクタ角調整処理を行なう。その際、実際にセクタ角の調整をする前に、セクタ調整後の各セクタの負荷状態を取得した無線端末の位置情報および使用量などから算出し、セクタ角を調整するかどうか、また調整する場合はどの程度するかをあらかじめ判断してから実際にセクタ角の調整を行なう。【選択図】図２
2011061607.tif 000002
【特許請求の範囲】
【請求項１】
複数のセクタから構成され、複数の無線端末と接続する無線基地局において、
複数の前記セクタに対応し、セクタ角が調整可能な複数のアンテナと、
複数の前記無線端末の位置情報を収集する位置情報収集部と、
複数の前記無線端末の無線リソース使用量情報を収集する使用量情報収集部と、
前記位置情報に基づいて、前記セクタごとの接続無線端末数と前記セクタごとに加算された無線リソース使用量とについて、セクタ間で偏りが減少するように、セクタ角調整情報を算出し、アンテナ制御部に送信するセクタ角演算部と、
からなり、
前記アンテナ制御部は、前記セクタ角調整情報に基づいて、隣り合う第１のアンテナと第２のアンテナとのセクタ角を調整することを特徴とする無線基地局。
【請求項２】
請求項１に記載の無線基地局であって、
前記セクタ角演算部は、前記位置情報と自位置情報に基づいて、複数の前記無線端末の複数の前記セクタ内の配置を演算し、セクタ角変更に伴なうセクタ間を移動する無線端末数と加算された無線リソース使用量とを予測して、前期セクタ角調整情報を生成することを特徴とする無線基地局。
【請求項３】
請求項１または請求項２に記載の無線基地局であって、
前記無線リソース使用量は、使用メモリ量、トラヒック量、または送受信電力量から、選択されることを特徴とする無線基地局。
【発明の詳細な説明】
【技術分野】
【０００１】
本発明は無線基地局に係り、特にセクタ角が調整可能なアンテナを有する無線基地局に関する。
【背景技術】
【０００２】
無線基地局の新規設置は、周辺の無線基地局の電波干渉および設置時に見込められるユーザ数などが考慮され、場所が決定されるのが一般的である。しかし、無線端末は移動するため、時間や場所によってはセクタごとに接続しているユーザ数に偏りが生じることもある。このような場合、無線通信の品質が悪化し、セルスループットが低下する。
【０００３】
このような問題を回避するため、無線基地局におけるアンテナのセクタ角を負荷状況に応じて調整を行なう技術が特許文献１に開示されている。特許文献１に開示された技術は、無線基地局において計測される下り総送信電力量に基づいてセクタ角の制御を行ない、セクタ内に存在する無線端末を隣接するセクタへとハンドオーバーさせる。この結果、各セクタ間で下り総送信電力量の偏りをなくし、セル全体の通信品質を向上させる。
【先行技術文献】
【特許文献】
【０００４】
【特許文献１】特開２００４―２９７２９１号公報
【発明の概要】
【発明が解決しようとする課題】
【０００５】
無線端末がストリーミングデータなど大量のデータをダウンロードしている場合、無線基地局は、多くの下り送信電力を必要とする。このため、下り総送信電力量が多い場合でも接続ユーザ数は、少ない場合も考えられる。そのような場合、特許文献１で挙げられているような下り総送信電力量のみをもってセクタ角を調整したとしても、負荷が分散されるか否かは不明である。また、場合によっては移動先セクタの負荷が上昇する可能性がある。さらに、セクタ角の調整によっては、セクタ間で接続ユーザ数に偏りが発生することも考えられる。すなわち、接続ユーザが多数存在しているセクタで、後に下り総送信電力量が上昇する可能性もある。
【０００６】
また、特許文献１では、セクタ角を調整すれば無線端末がハンドオーバーし、負荷が分散することを前提としている。しかし、無線端末が、理想的な位置に存在しているはずはなく、中央付近に偏在する場合、セクタ角の調整による負荷分散が可能となるまでに複数回セクタ角を調整する必要がある。さらに、場合によっては、負荷が分散されない可能性がある。すなわち、無駄なセクタ角の調整を行なうことになる。
【０００７】
本発明は、この課題を解決するためになされたもので、セクタ間で負荷の偏りが発生した場合において、下り総送信電力量といった１つの指標のみでセクタ角調整の判断をするのではなく、接続ユーザ数等もう１つ別の指標と合わせて効果のあるセクタ角調整の判断を行なう。セクタ角を調整する前に、セクタ角調整後のセクタの負荷状態を予想しセクタ角調整の有無およびセクタ角度の大きさを算出することにより効率的なセクタ角の調整を可能とする。
【課題を解決するための手段】
【０００８】
上記課題は、複数のセクタから構成され、複数の無線端末と接続する無線基地局において、複数のセクタに対応し、セクタ角が調整可能な複数のアンテナと、複数の無線端末の位置情報を収集する位置情報収集部と、複数の無線端末の無線リソース使用量情報を収集する使用量情報収集部と、位置情報に基づいて、セクタごとの接続無線端末数とセクタごとに加算された無線リソース使用量とについて、セクタ間で偏りが減少するように、セクタ角調整情報を算出し、アンテナ制御部に送信するセクタ角演算部と、からなり、アンテナ制御部は、セクタ角調整情報に基づいて、隣り合う第１のアンテナと第２のアンテナとのセクタ角を調整する無線基地局により、解決できる。
【発明の効果】
【０００９】
本発明によれば、効率的なセクタ角調整処理が可能な無線基地局を提供できる。
【図面の簡単な説明】
【００１０】
【図１】無線基地局のセクタ構成を説明する図である。
【図２】無線基地局のセクタ角調整に係る機能ブロック図である。
【図３】端末情報テーブルを説明する図である。
【図４】セクタ内の無線端末の分布を説明する図である。
【図５】計測データテーブルを説明する図である。
【図６】閾値テーブルを説明する図である。
【図７Ａ】端末情報収集部の位置情報収集処理のフローチャートである。
【図７Ｂ】端末情報収集部の使用量情報収集処理のフローチャートである。
【図８Ａ】セクタ角演算部のセクタ角演算処理のフローチャート（その１）である。
【図８Ｂ】セクタ角演算部のセクタ角演算処理のフローチャート（その２）である。
【図９】無線端末の抽出方法を説明するための概念図である。
【図１０】想定されるセクタの負荷状態を示した図である。
【図１１】セクタ角変更後のセクタ状態を示した図である。
【図１２】予測データテーブルを説明する図である。
【図１３】計測データテーブルを説明する図である（その２）。
【図１４】予測データテーブルを説明する図である（その２）。
【図１５】無線端末の抽出方法を説明するための概念図である。
【発明を実施するための形態】
【００１１】
以下本発明の実施の形態について、実施例を用い図面を参照しながら詳細に説明する。なお、実質同一部位には同じ参照番号を振り、説明は繰り返さない。
【００１２】
まず、図１を参照して、セクタ構成を説明する。図１において、無線端末５０と通信を行なう無線基地局１００は、３つのセクタを有する。ここでは３つのセクタを、１２時方向から時計回りにα、β、γと呼ぶ。無線基地局１００を中心とした円の円周は、電波の届く範囲を表している。また、円内に存在する複数の黒丸は、無線端末５０を示している。図１において、円内の無線端末５０は、当該端末５０が位置するエリアをカバーするセクタで無線通信を行なえることを示している。
【００１３】
図２を参照して、無線基地局の構成を説明する。図２において、無線基地局１００は、端末情報収集部１１０と、各セクタに対応した通信処理部１２０と、セクタ角演算部１３０と、各セクタに対応したアンテナ制御部１４０と、各セクタに対応したアンテナ１５０とを備える。
【００１４】
端末情報収集部１１０は、端末情報テーブル１１１と、計測データテーブル１１２と、閾値テーブル１１３と、予測データテーブル１１４とを記憶する。端末情報収集部１１０は、自無線基地局（以下、自局という）と無線通信を行なっている無線端末の位置情報および無線リソース使用量を収集し、端末情報テーブル１１１に記憶する。セクタ角演算部１３０は、端末情報テーブル１１１のデータに基づいて、セクタ毎の無線リソース使用量と、接続ユーザ数とを、計測データテーブル１１２に記録する。端末情報収集部１１０は、無線リソースと、接続ユーザ数との閾値を、閾値テーブル１１３に記録する。
【００１５】
通信処理部１２０は、セクタ毎に通信処理部１２０−α、通信処理部１２０−β、通信処理部１２０−γと記載する。アンテナ制御部１４０およびアンテナ１５０も、区別するときは同様に記載する。
【００１６】
各セクタの通信処理部１２０−α〜１２０−γは、セクタからの制御メッセージの送信処理、無線端末からの各種制御メッセージの受信処理を行なう。セクタ角演算部１３０は、セクタ角を変更した際の、セクタ毎の予測無線リソース使用量と、予測接続ユーザ数とを、端末情報収集部１１０の予測データテーブル１１４に記録する。セクタ角演算部１３０は、各セクタの負荷情報などにより、セクタ角を調整する必要があるかどうかを判断する。必要であると判断した場合、セクタ角演算部１３０は、予測データテーブル１１４に記憶されている情報に基づいて調整するセクタ角度を求め、アンテナ制御部１４０−α〜１４０−γのいずれか２つにその結果を通知する。アンテナ制御部１４０は、セクタ角演算部１２０より通知された値に基づいて、アンテナ１５０のセクタ角度の調整を行なう。具体的には、反射板等をモータドライブで移動して、セクタ角を変更する。
【００１７】
なお、端末情報収集部１１０およびセクタ角演算部１３０が必ずしも無線基地局１００に存在する必要はなく、無線基地局を制御する基地局制御装置（図示せず）や他の専用装置に存在することも可能である。また、セクタ角の変更方法は、反射板の移動に限らず、他の指向性可変方法であってもよい。
【００１８】
図３を参照して、無線基地局が記憶している端末情報テーブルを説明する。図３において、端末情報テーブル１１１は、無線基地局１００と通信を行なっている無線端末５０のセクタ１１１０と位置情報１１１２と使用量１１１３とを管理するテーブルである。セクタ１１１０は、位置情報１１１２を受信する通信処理部１２０から判定する。位置情報１１１２は、経度、緯度であらわす。また、ここでの使用量１１１３は、使用メモリ量、トラヒック量、または送受信電力量である。使用量１１１３は、値が大きいほど負荷が高いことを示している。
【００１９】
図４と図５を参照して、計測データテーブルを説明する。まず、図４を参照して、図５で説明する計測データテーブル１１２Ａの前提となる基地局１００のセクタαないしセクタγの無線端末の配置を説明する。図４において、基地局１００のセクタαには、無線端末が９台存在する。セクタβには、７台存在し、セクタγには、２台のみ存在する。
【００２０】
図５において、計測データテーブル１１２は、端末情報テーブル１１１と自局位置とに基づいて、セクタ角演算部１３０が演算する。セクタ角演算部１３０は、演算した計測データテーブル１１２を端末情報収集部１１０に記憶する。計測データテーブル１１２は、セクタ１１２１、無線リソース使用量１１２２、接続ユーザ数１１２３から構成され、セクタごとに在圏する無線端末の無線リソースの総和（無線リソース使用量１１２２）と、無線端末数（接続ユーザ数１１２３）である。
【００２１】
図６を参照して、閾値テーブルを説明する。図６において、閾値テーブル１１３は、無線リソースの上限閾値（Ｔｒｍａｘ）１１３１、無線リソースの下限閾値（Ｔｒｍｉｎ）１１３２、接続ユーザ数の上限閾値（Ｔｕｍａｘ）１１３３、接続ユーザ数の下限閾値（Ｔｕｍｉｎ）１１３４から構成される。閾値テーブル１１３は、端末情報収集部１１０に事前に設定されたテーブルである。また、上位装置から閾値テーブル１１３を更新してもよい。
【００２２】
ここで、無線リソースの上限閾値（Ｔｒｍａｘ）１１３１は、これを越えると該当セクタの無線リソースが過多に使用されていると判断する閾値である。無線リソースの下限閾値（Ｔｒｍｉｎ）１１３２は、これ未満であると該当セクタの無線リソースの使用量が少ない判断する閾値である。接続ユーザ数の上限閾値（Ｔｕｍａｘ）１１３３は、これを越えると該当セクタの端末数が過多である判断する閾値である。接続ユーザ数の下限閾値（Ｔｕｍｉｎ）１１３４は、これ未満であると該当セクタの端末数が少ない判断する閾値である。
【００２３】
図７を参照して、端末情報収集部が、端末情報テーブルに無線端末の位置情報および使用量を記憶する処理を説明する。図７Ａにおいて、まず無線端末５０は、受信したＧＰＳ信号を基に現在の位置情報（緯度、経度）を算出する。無線端末５０は、無線基地局１００にその位置情報を送信する。無線基地局１００は、無線端末５０より位置情報を受信する（Ｓ１０１）。位置情報収集部１１０は、各端末の位置情報（ＧＰＳ位置、受信セクタ）を端末情報テーブル１１１に位置情報を記憶する（Ｓ１０２）。無線端末５０が、位置情報（ＧＰＳ位置）を無線基地局１００に送信するタイミングは、所定の時間間隔毎に、あるいは無線基地局１００から位置情報通知を促す要請メッセージを受信したときなど、運用状況に応じて様々な設定を選択することができる。無線基地局１００は、端末情報テーブル１１１に記憶された無線端末毎の位置情報（ＧＰＳ位置、受信セクタ）と自局の位置情報およびセクタ角の状態などにより、どの無線端末がセクタ内のどの位置に存在しているかを把握する。また、無線基地局１００は、自局の位置情報を、ＧＰＳ信号を基に算出する。なお、無線基地局１００は、自局の位置情報を、あらかじめ自局に設定しておいてもよい。
【００２４】
図７Ｂにおいて、無線基地局１００は、無線端末毎の使用量を収集する（Ｓ１１１）。端末情報収集部１１０は、無線情報テーブル１１１に収集した無線端末毎の使用量を記憶する（Ｓ１１２）。使用量を記憶するタイミングは、所定の時間間隔毎に、あるいはセクタ角を調整する必要があったときなど、様々な設定を選択することができる。
【００２５】
図８を参照して、セクタ角演算部のセクタ角の調整有無の判断処理および調整するセクタ角度を求める処理を説明する。図８において、セクタ角演算部１３０は、端末情報テーブル１１１を参照して、自局のセクタ毎に接続ユーザ数および無線リソース使用量を加算する（Ｓ２０１）。セクタ角演算部１３０は、無線リソース使用量が上限閾値を上回るセクタが存在し、かつ、下限閾値を下回るセクタが存在するかを判断する（Ｓ２０２）ステップ２０２で、条件に適合するセクタの組み合わせが１つ存在すると判断されたならば、セクタ角演算部１３０は、そのセクタの組み合わせを選択する。また、２つ以上存在したならば、セクタ角演算部１３０は、それらの組み合わせの中からセクタ間の無線リソース使用量の差が一番大きいセクタの組み合わせを選択する（Ｓ２０３）。なお、ステップ２０３において、無線リソース使用量の差が一番大きいセクタの組み合わせを選択しているが、条件に適合するセクタの組み合わせをランダムに１つを選択してもよい。
【００２６】
次に、セクタ角演算部１３０は、選択したセクタの組み合わせで、一方のセクタの接続ユーザ数が上限閾値を上回り、かつ、もう一方のセクタの接続ユーザ数が下限閾値を下回るかを判断する（Ｓ２０４）。ステップ２０４で条件に適合しないと判断した場合（ＮＯ）、セクタ角演算部１３０は、ステップ２０８に遷移する。ステップ２０４で条件に適合すると判断した場合（ＹＥＳ）、セクタ角演算部１３０は、選択したセクタの組み合わせで、無線リソース使用量の多いセクタが、接続ユーザ数も多いかを判断する（Ｓ２０５）。接続ユーザ数は多くないと判断した場合（ＮＯ）、セクタ角演算部１３０は、処理を終了し、次回の周期（Ｓ２０１〜）を待つ。
【００２７】
接続ユーザ数も多いと判断した場合（ＹＥＳ）、セクタ角演算部１３０は、端末情報テーブル１１１を参照し、選択した２つのセクタの境界より負荷の高いセクタ方向へ指定の角度以内の領域に存在する無線端末が１つ以上あるかを判断する（Ｓ２０８）。ここでいう指定の角度とは、あらかじめ定められている角度またはセクタ間の値（接続ユーザ数または無線リソース使用量）の差に応じた角度など様々な設定を選択することができる。
【００２８】
ステップ２０８で１つも無線端末が存在しないと判断した場合（ＮＯ）、セクタ角演算部１３０は、セクタ角調整処理を行なう必要はないので処理を終了し、次回の周期（Ｓ２０１〜）を待つ。ステップ２０８で１つ以上存在すると判断した場合（ＹＥＳ）、セクタ角演算部１３０は、無線端末を負荷の高いセクタから低いセクタへ移動させたと想定した場合、接続ユーザ数が一方のセクタでは、閾値Ｔｕｍａｘを上回り、もう一方のセクタでは閾値Ｔｕｍｉｎを下回っている状態になるか、または、無線リソース使用量が一方のセクタでは、閾値Ｔｒｍａｘを上回り、もう一方のセクタでは閾値Ｔｒｍｉｎを下回る状態になるかを判断する（Ｓ２０９）。ともにならない場合、セクタ角演算部１３０は、負荷が分散できると判断できるため、指定した角度をアンテナ制御部に通知する処理を行なって（Ｓ２１０）、終了する。
【００２９】
ステップ２０９でどちらかの状態になる場合、セクタ角演算部１３０は、選択した２つのセクタ間で、接続ユーザ数または無線リソース使用量が、移動前後で値の大小関係の逆転が起きていないかを判断する（Ｓ２１１）。逆転が起きる場合（ＮＯ）、セクタ角演算部１３０は、指定する角度を一定量狭め（Ｓ２１２）、セクタ角演算部１３０は、狭めた結果角度が０度であるかを判断し（Ｓ２１３）、０度でなければ（ＮＯ）、ステップ２０８に遷移する。０度であれば（ＹＥＳ）、セクタ角演算部１３０は、処理を終了し、次回の周期（Ｓ２０１〜）を待つ。ステップ２１１で逆転が起きない場合、セクタ角演算部１３０は、セクタ角を調整することにより無線端末を移動させたとしても負荷の状態に変化がないため、セクタ角調整処理を行う必要はないので処理を終了し、次回の周期（Ｓ２０１〜）を待つ。
【００３０】
またステップ２０２で条件に適合するセクタの組み合わせが１つも存在しない場合、セクタ角演算部１３０は、接続ユーザ数が閾値Ｔｕｍａｘを上回るセクタと、閾値Ｔｕｍｉｎを下回るセクタの組み合わせが存在するかを判断する（Ｓ２０６）。１つ存在すると判断されたならば、セクタ角演算部１３０は、そのセクタの組み合わせを選択し、また、２つ以上存在すると判定されたならば、セクタ角演算部１３０は、それらの組み合わせの中からセクタ間の接続ユーザ数の差が一番大きいセクタの組み合わせを選択し（Ｓ２０７）、ステップ２０８に遷移する。１つも存在しないならば、処理を終了し、次回の周期（Ｓ２０１〜）を待つ。
【００３１】
ステップ２０７において、接続ユーザ数の差が一番大きいセクタの組み合わせを選択しているが、これに限定しているものではなく、条件に適合するセクタの組み合わせの１つを選択すればよい。
なお、本フローは、あらかじめ定められた周期で処理を行うことが可能であるため、セクタ角調整後にセクタの利用状況が変化しても再び調整することが可能である。
【００３２】
ここで、セクタ角を調整する場合と調整しない場合を説明する。まず、図４および図５に戻って、セクタ角を調整する場合から説明する。
図４は、ある時点におけるセクタの状態を示している。図５は、セクタ角演算部１３０で演算したその時点における各セクタの計測データテーブル１１２Ａである。これらを基にセクタ角演算部１３０の具体的な動作を説明する。
【００３３】
図５の無線リソース使用量を参照すると、αおよびβで閾値Ｔｒｍａｘを上回り、またγで閾値Ｔｒｍｉｎを下回っている。このとき、（α−γ）と（β−γ）の２つのセクタの組み合わせがステップ２０２の条件に適合する。この２つのセクタの組み合わせの中で、無線リソース使用量の差が大きい組み合わせは、（α−γ）である。続いて、接続ユーザ数が、αで閾値Ｔｕｍａｘを上回り、γセクタで閾値Ｔｕｍｉｎを下回っている。ここで、選択した２つのセクタの無線リソース使用量と接続ユーザ数の値の大小関係を見ると、無線リソース使用量の多いセクタはαであり、接続ユーザ数の多いセクタもαである。
【００３４】
次に、端末情報テーブル１１１と自局の位置情報およびセクタの状態により、αとγとのセクタ境界から負荷の高いα方向へ指定の角度以内の領域に存在する無線端末の抽出を行なう。
【００３５】
図９を参照して、無線端末の抽出を説明する。図９中の点線は、１２時方向からの指定角度を示している。図９において、αとγとのセクタ境界から点線の範囲内に在圏する３台の無線端末が抽出されることが分かる。
【００３６】
これら抽出された無線端末をγへと移動させたと想定した場合、各セクタの負荷状態を算出すると、図１０の予測データテーブル１１４Ａとなる。図１０において、予測データテーブル１１４Ａは、セクタ１１４１と、予測無線リソース使用量１１４２と、予測接続ユーザ数１１４３とから構成される。予測データテーブル１１４は、セクタ角演算部１３０が作成する。セクタ角演算部１３０は、予測データテーブル１１４を端末情報収集部１１０に記憶する。
【００３７】
図１０において、セクタαとセクタγの予測無線リソース使用量を参照すると、２つのセクタとも閾値Ｔｒｍａｘを上回っておらず、また、閾値Ｔｒｍｉｎも下回っていない、つまり閾値Ｔｒｍｉｎから閾値Ｔｒｍａｘの範囲内である。また、接続ユーザ数に関しても同様に、閾値Ｔｕｍｉｎから閾値Ｔｕｍａｘの範囲内であるため、指定した角度をアンテナ制御部１４０へ通知する処理を行なう。
【００３８】
図１１は、アンテナ制御部１４０が通知された情報を基にセクタ角を調整した後のセクタ状態を示している。なお、セクタ角を調整した後の、計測データテーブル１１２は、図１０の予測データテーブル１１４Ａと同様となる。
【００３９】
次に、セクタ角を調整しない場合について、図１２ないし図１５を参照して、説明する。
図１２は、ある時点におけるセクタの状態を示している。図１３は、セクタ角演算部で計測したその時点における各セクタの計測データテーブルである。これらを基にセクタ角演算部の動作を説明する。図１２において、セクタαとセクタγとのセクタ境界から点線の範囲内に在圏する５つの無線端末が抽出されることが分かる。
【００４０】
これら抽出された無線端末をγへと移動させたと想定した場合、各セクタの負荷状態を算出すると、図１４の予測データテーブルＢとなる。ここで、セクタαとセクタγの予測無線リソース使用量を参照すると、セクタαで閾値Ｔｒｍｉｎを下回り、セクタγで閾値Ｔｒｍａｘを上回っている図８のステップ２０９の条件に適合することが分かる。また、無線端末移動前の負荷情報である計測データテーブル１１２Ｂでは、無線リソース使用量は、αが多く、γが少ない。一方、移動後の予測負荷情報である予測データテーブル１１４Ｂではαが少なく、γが多くなっている。
【００４１】
この場合、移動させる無線端末が多いと解釈するため、指定する角度をαとγとの境界側へ一定の角度狭め、その狭めた角度以内の領域に存在する無線端末の抽出を行なう。
【００４２】
図１５を参照して、抽出された無線端末をγへと移動させたと想定した場合、各セクタの負荷状態を算出すると、図１４の予測データテーブル１１４Ｂと同一となる。この場合、再びセクタ角を狭める処理を行うが、指定する角度が０度となった場合は、アンテナ制御部１４０に情報を通知せず処理を終了する。このときアンテナ制御部１４０では情報が通知されてこないためセクタ角の調整は行なわない。
【００４３】
なお、上述した実施例では、無線基地局１００の有するセクタ数を３として説明しているが、それ以外（４以上）のセクタ構成を持つ無線基地局でも適用可能である。その場合、比較を行う２つのセクタが隣接しているかを判断する処理を適用する。また、上述した実施例では、セクタ角を変えて、変更部分の無線端末を抽出したが、逆に、無線端末の配置から、無線端末数に基づいて、セクタ角を得てもよい。
【００４４】
本実施例に依れば、無線端末の位置情報や使用量を把握してセクタ角調整前に調整後の負荷状態を想定しセクタ角を調整するため、無駄にセクタ角を調整する必要はなく効率的なセクタ角調整処理が可能となる。また、下り総送信電力量など１つの指標のみで負荷を判断しセクタ角を調整するのではなく、接続ユーザ数などのもう１つ別の指標も用いることにより、下り送信電力量で偏りがなく接続ユーザ数で偏りがあった場合などに対応が可能となる。これは、接続ユーザ数が多数存在しているセクタでは、現段階では下り送信電力量で偏りがなかったとしても、今後、上昇する恐れがあるため、事前に接続ユーザ数に関しても分散して負荷の上昇を防ぐ狙いがある。
【符号の説明】
【００４５】
５０…無線端末、１００…無線基地局、１１０…端末情報収集部、１１１…端末情報テーブル、１１２…計測データテーブル、１１３…閾値テーブル、１１４…予測データテーブル、１２０…通信処理部、１３０…セクタ角演算部、１４０…アンテナ制御部、１５０…アンテナ。
【図１】
2011061607.tif 000003
【図２】
2011061607.tif 000004
【図３】
2011061607.tif 000005
【図４】
2011061607.tif 000006
【図５】
2011061607.tif 000007
【図６】
2011061607.tif 000008
【図７Ａ】
2011061607.tif 000009
【図７Ｂ】
2011061607.tif 000010
【図８Ａ】
2011061607.tif 000011
【図８Ｂ】
2011061607.tif 000012
【図９】
2011061607.tif 000013
【図１０】
2011061607.tif 000014
【図１１】
2011061607.tif 000015
【図１２】
2011061607.tif 000016
【図１３】
2011061607.tif 000017
【図１４】
2011061607.tif 000018
【図１５】
2011061607.tif 000019